(57)【特許請求の範囲】
【請求項１】
床面上に起立する複数の脚と、
複数の前記脚上に支持される天板と、
全ての前記脚の下部同士を連結する下部連結部材と、
前記天板の下方に設けられ、全ての前記脚の上部同士を連結する上部連結部材と、を備え、
前記下部連結部材および前記上部連結部材は、平面視して、互いに隣接する前記脚同士の間に、前記天板の内方に向かって凹となる凹部を有しているとともに、
前記下部連結部材および前記上部連結部材は、それぞれ、
前記天板の上面に沿った第一の方向において互いに隣接する前記脚同士を連結し、前記凹部を有した第一脚連結部と、
前記天板の上面に沿った面内で第一の方向に交差する第二の方向において互いに対向する前記第一脚連結部同士を連結し、前記天板の前記第一の方向に沿った幅寸法よりも小さい幅寸法を有した第二脚連結部と、
を備え、
前記上部連結部材と前記下部連結部材とは、互いに異なる平面視形状を有し、
前記上部連結部材の第二脚連結部は、前記第一の方向に互いに間隔を空けて二本一対で設けられて前記第二の方向に沿って延び、
前記下部連結部材の第二脚連結部は、前記第一の方向における中心部において前記第二の方向に沿って延びていることを特徴とする天板付家具。
【請求項２】
床面上に起立する複数の脚と、
複数の前記脚上に支持される天板と、
全ての前記脚の下部同士を連結する下部連結部材と、
前記天板の下方に設けられ、全ての前記脚の上部同士を連結する上部連結部材と、を備え、
前記下部連結部材および前記上部連結部材は、平面視して、互いに隣接する前記脚同士の間に、前記天板の内方に向かって凹となる凹部を有しているとともに、
前記下部連結部材および前記上部連結部材は、それぞれ、
前記天板の上面に沿った第一の方向において互いに隣接する前記脚同士を連結し、前記凹部を有した第一脚連結部と、
前記天板の上面に沿った面内で第一の方向に交差する第二の方向において互いに対向する前記第一脚連結部同士を連結し、前記天板の前記第一の方向に沿った幅寸法よりも小さい幅寸法を有した第二脚連結部と、
を備え、
前記下部連結部材における前記第一脚連結部と前記第二脚連結部との連結部位と、前記上部連結部材における前記第一脚連結部と前記第二脚連結部との連結部位とは、互いに上下方向に離間して空間を形成しており、
前記下部連結部材の第一脚連結部における前記第一の方向で前記空間よりも外側の端部と、前記上部連結部材の第一脚連結部における前記第一の方向で前記空間よりも外側の端部とは、互いに前記脚で連結されていることを特徴とする天板付家具。
【請求項３】
前記下部連結部材は、床面に平行に位置するプレート状をなしていることを特徴とする請求項１または２に記載の天板付家具。
【請求項４】
前記上部連結部材は、前記天板の下面に沿って固定されていることを特徴とする請求項１から３のいずれか一項に記載の天板付家具。
【請求項５】
前記上部連結部材は、前記天板の下面に直交する面内に位置する幕板状をなしていることを特徴とする請求項１から４のいずれか一項に記載の天板付家具。
【発明の詳細な説明】
【技術分野】
【０００１】
本発明は、テーブル等の天板付家具に関する。
【背景技術】
【０００２】
各種の会議、作業、飲食等を行うテーブルは、天板と、天板を支持する支持脚と、を備えている。
このようなテーブルにおいて、例えば特許文献１に開示されているように、天板の下面に枠材を設け、この枠材によって互いに対向する支持脚同士を連結する構成が開示されている。このような構成により、支持脚の上部同士が一体に連結され、天板に対する支持脚の接合強度が高まる。
【先行技術文献】
【特許文献】
【０００３】
【特許文献１】特開２０００−１６６６５７号公報
【発明の概要】
【発明が解決しようとする課題】
【０００４】
しかしながら、上述したような構成においては、天板が一方向に長く、支持脚同士の間隔が広い場合等、天板上に作用した荷重が大きいと、天板および枠材が下方に撓み、支持脚の下端部同士の間隔が広がる方向に変形することがある。
このような現象を防ぐには、天板や枠材を上下方向に厚くしてその強度を高めることが考えられる。しかし、このような手法では、天板の下方の空間が狭くなって使用者の下肢と干渉することがある。
そこでなされた本発明の目的は、強度を高めつつ、使用者の下肢との干渉を抑えることのできる天板付家具を提供することである。
【課題を解決するための手段】
【０００５】
本発明は、上記課題を解決するため、以下の手段を採用する。
この発明に係る天板付家具は、床面上に起立する複数の脚と、複数の前記脚上に支持される天板と、全ての前記脚の下部同士を連結する下部連結部材と、前記天板の下方に設けられ、全ての前記脚の上部同士を連結する上部連結部材と、を備え、前記下部連結部材および前記上部連結部材は、平面視して、互いに隣接する前記脚同士の間に、前記天板の内方に向かって凹となる凹部を有していることを特徴とする。
【０００６】
このように、全ての脚で隣り合う脚同士を、下部連結部材と上部連結部材とで連結することで、それぞれの脚が上部と下部とで強固に固定される。これにより、脚を太くするのを抑えつつ、全ての脚と下部連結部材と上部連結部材とからなる天板の支持構造体の強度を高めることができる。
また、下部連結部材および上部連結部材は、互いに隣接する脚同士の間に、天板の内方に向かって凹となる凹部を有しているので、下部連結部材および上部連結部材と使用者の下肢との干渉を抑え、下肢収容空間を広く確保することができる。
【０００７】
また、この発明に係る天板付家具は、上記天板付家具において、前記下部連結部材および前記上部連結部材が、それぞれ、前記天板の上面に沿った第一の方向において互いに隣接する前記脚同士を連結し、前記凹部を有した第一脚連結部と、前記天板の上面に沿った面内で第一の方向に交差する第二の方向において互いに対向する前記第一脚連結部同士を連結し、前記天板の前記第一の方向に沿った幅寸法よりも小さい幅寸法を有した第二脚連結部と、を備えるようにしてもよい。
このように構成することで、天板において第二の方向に沿った一方の側と他方の側に、それぞれ複数の脚が設けられている場合、一方の側の他方の側のそれぞれにおいては、第一脚連結部により、第一の方向において互いに隣接する脚同士を連結することができる。そして、第二の方向に沿った一方の側の第一脚連結部と、他方の側の第一脚連結部とを、第二脚連結部により連結することで、下部連結部材および上部連結部材によって、全ての脚の上部同士、下部同士を一体に連結することができる。
また、第一脚連結部は、第一の方向において互いに隣接する脚同士の間に、天板の内方に向かって凹となる凹部を有している。第二脚連結部は、天板の第一の方向に沿った幅寸法よりも小さい幅寸法を有しているので、第二の方向において互いに隣接する脚同士の間に、天板の内方に向かって凹となる凹部を有している。
【０００８】
また、この発明に係る天板付家具は、上記天板付家具において、前記下部連結部材が、床面に平行に位置するプレート状をなしているようにしてもよい。
このように構成することで、下部連結部材は、床面から上方への突出寸法を抑えることができる。したがって、複数の脚の下部同士を強固に連結しつつ、下部連結部材と使用者の下肢との干渉を抑えることができる。
【０００９】
また、この発明に係る天板付家具は、上記天板付家具において、前記上部連結部材が、前記天板の下面に沿って固定されているようにしてもよい。
このように構成することで、上部連結部材が、天板の補強機能を果たすこととなり、天板の強度を高めることができる。
【００１０】
また、この発明に係る天板付家具は、上記天板付家具において、前記上部連結部材が、前記天板の下面に直交する面内に位置する幕板状をなしているようにしてもよい。
このように構成することで、上部連結部材における上下方向の力に対する強度が高まる。さらに、上部連結部材により、天板を挟んで対向する使用者の下肢空間を仕切ることができる。
【発明の効果】
【００１１】
この発明に係る天板付家具によれば、脚の強度を高めつつ、使用者の下肢との干渉を抑えることが可能となる。
【図面の簡単な説明】
【００１２】
【図１】この発明の一実施形態に係るテーブルの全体構成を示す斜視図である。
【図２】上記テーブルの脚の構成を示す斜視図である。
【図３】上記テーブルの第一変形例を示す斜視図である。
【図４】上記テーブルの第二変形例を示す斜視図である。
【図５】上記テーブルの第三変形例を示す斜視図である。
【図６】上記テーブルの第四変形例を示す斜視図である。
【発明を実施するための形態】
【００１３】
以下、添付図面を参照して、本発明による天板付家具を実施するための形態を説明する。しかし、本発明はこの実施形態のみに限定されるものではない。
【００１４】
図１は、この発明の一実施形態に係るテーブルの全体構成を示す斜視図である。図２は、上記テーブルの脚の構成を示す斜視図である。
図１、図２に示すように、テーブル（天板付家具）１０は、床面Ｆ上に起立する複数の脚２０と、上部連結部材４０（図２参照）と、下部連結部材５０と、これら複数の脚２０上に支持される天板３０と、を備えている。
この実施形態のテーブル１０において、天板３０は、例えば平面視楕円形状で、その上面３０ｆに沿った第一の方向Ｘに短く、上面３０ｆに沿った面内で第一の方向Ｘに直交する第二の方向Ｙに長く形成されている。天板３０は、平面視長方形状に限らず、長円形、長方形等の平面視形状としてもよい。
【００１５】
図２に示すように、脚２０は、天板３０において第二の方向Ｙの一方の側と他方の側とに、それぞれ２本ずつ設けられている。各脚２０は、平面視略長方形状で、第一の方向Ｘおよび第二の方向Ｙに対して傾斜し、その長手方向が、天板３０の第一の方向Ｘにおける中心部から離間するにしたがって、第二の方向Ｙの外方に向かって延びるよう配置されている。
【００１６】
上部連結部材４０は、全ての脚２０の上端部（上部）２０ｔ同士を連結する。上部連結部材４０は、上部ビーム４２と、第一ビーム４３と、第二ビーム（第二脚連結部）４４と、を備える。
【００１７】
上部ビーム４２は、各脚２０の上端部２０ｔに固定され、各脚２０よりも第二の方向Ｙに沿って天板３０の内方に向かうにしたがって、第一の方向Ｘの中心部に向かって斜めに延出して設けられている。
【００１８】
第一ビーム４３は、天板３０の第二の方向Ｙにおける一方の側と他方の側のそれぞれにおいて、第一の方向Ｘに沿って延びるように設けられ、第一の方向Ｘにおいて互いに隣接する上部ビーム４２、４２同士を連結する。
【００１９】
これら上部ビーム４２および第一ビーム４３により、天板３０の上面に沿った第一の方向Ｘにおいて互いに隣接する脚２０の上端部２０ｔ同士を連結する端部連結部（第一脚連結部）４１が形成されている。
【００２０】
第二ビーム４４は、第一の方向Ｘに互いに間隔を空けて二本一対で設けられている。それぞれの第二ビーム４４は、第二の方向Ｙに沿って延び、第二の方向Ｙにおいて互いに隣接する上部ビーム４２、４２同士を連結する。
【００２１】
このような上部連結部材４０は、天板３０の下面に、図示しない複数の取付金具を介して固定されている。
【００２２】
下部連結部材５０は、全ての脚２０の下端部（下部）２０ｂ同士を連結する。下部連結部材５０は、天板３０において第二の方向Ｙの一方の側と他方の側のそれぞれに設けられた端部プレート（第一脚連結部）５１、５１と、これら端部プレート５１、５１同士を連結する連結ビーム（第二脚連結部）５２と、を備える。
【００２３】
各端部プレート５１は、上下方向に薄い板状で、天板３０の第一の方向Ｘにおける中心部に位置する基部５１ａから、第二の方向Ｙに沿って天板３０の外方に向かうにしたがって第一の方向Ｘの両側方に延びるよう、Ｙ字（Ｖ字）状に形成された延出部５１ｂ，５１ｂを有している。各延出部５１ｂは、第一の方向Ｘにおいて互いに隣接する二つの脚２０のそれぞれの下端部２０ｂに固定されている。
【００２４】
連結ビーム５２は、上下方向に薄い板状で、天板３０の第一の方向Ｘにおける中心部において第二の方向Ｙに沿って延びて形成されている。連結ビーム５２は、第二の方向Ｙの一方の側の端部プレート５１の基部５１ａと、他方の側の端部プレート５１の基部５１ａとにそれぞれ連結されている。
【００２５】
このような上部連結部材４０および下部連結部材５０は、第二ビーム４４、４４、および連結ビーム５２が、天板３０の第一の方向Ｘにおける両端部３０ｓ、３０ｓに対して内方に配置され、天板３０の第一の方向Ｘに沿った幅寸法よりも小さい幅寸法を有している。これにより、上部連結部材４０および下部連結部材５０を平面視すると、互いに隣接する脚２０同士の間に、天板３０の内方に向かって凹となる部分（凹部）１００Ａ、１００Ｂを有している。
【００２６】
上述したような構成のテーブル１０においては、このように、全ての脚２０で隣り合う脚２０同士を、下部連結部材５０と上部連結部材４０とで連結することで、それぞれの脚２０が上端部２０ｔと下端部２０ｂで強固に固定される。これにより、脚２０を太くするのを抑えて、全ての脚２０と、下部連結部材５０と、上部連結部材４０とからなる、天板３０の支持構造体の強度を高めることができる。
また、下部連結部材５０および上部連結部材４０は、互いに隣接する脚２０同士の間に、天板３０の内方に向かって凹となる部分１００Ａ、１００Ｂを有しているので、この凹となる部分１００Ａ、１００Ｂに、使用者の下肢を収容することができる。
その結果、脚２０の強度を高めつつ、天板３０の下方において使用者の下肢と干渉するのを抑え、下肢収容空間を広く確保することが可能となる。
【００２７】
また、下部連結部材５０および上部連結部材４０は、端部連結部４１、端部プレート５１により、第一の方向Ｘにおいて互いに隣接する脚２０同士を連結する。さらに、下部連結部材５０および上部連結部材４０は、第二ビーム４４、連結ビーム５２により、第二の方向Ｙにおいて互いに対向する端部連結部４１、端部プレート５１同士を連結する。このように構成することで、天板３０において第二の方向Ｙに沿った一方の側と他方の側に大きな間隔を空けて、それぞれ複数の脚２０が設けられていても、全ての脚２０の上端部２０ｔ同士、下端部２０ｂ同士を強固に一体に連結することができる。
【００２８】
また、下部連結部材５０が、床面Ｆに平行に位置するプレート状をなしている。このように構成することで、下部連結部材５０は、床面Ｆから上方への突出寸法を抑えることができる。したがって、複数の脚２０の下端部２０ｂ同士を強固に連結しつつ、下部連結部材５０と下肢との干渉を抑えることができる。
【００２９】
また、上部連結部材４０が、天板３０の下面に沿って固定されている。これにより、上部連結部材４０が、天板３０の補強機能を果たすこととなり、天板３０の強度を高めることができる。
【００３０】
（その他の実施形態）
なお、本発明の天板付家具は、図面を参照して説明した上述の実施形態に限定されるものではなく、その技術的範囲において様々な変形例が考えられる。
（第一変形例）
図３は、上記テーブルの第一変形例を示す斜視図である。
上記実施形態では、上部連結部材４０と下部連結部材５０とが、異なる平面視形状を有するようにしたがこれに限らない。
例えば、図３に示すように、上部連結部材４０Ａを、下部連結部材５０と同様の平面視形状とし、Ｖ字状に延び、第一の方向Ｘにおいて互いに隣接する脚２０の上端部２０ｔ同士を連結する端部ビーム（第一脚連結部）４５、４５と、天板３０の第一の方向Ｘにおける中心部に沿って第二の方向Ｙに延び、これら端部ビーム４５、４５同士を結ぶ連結ビーム（第二脚連結部）４６と、を備える構成としてもよい。
【００３１】
（第二変形例）
図４は、上記テーブルの第二変形例を示す斜視図である。
この図４に示すように、上部連結部材４０Ｂを構成する端部ビーム４５、４５および連結ビーム４６に、天板３０の下面から下方に向かって垂下し、天板３０の下面に直交する面内に位置する垂下壁４５ｗ、４５ｗ、４６ｗと一体に形成してもよい。
このような構成によれば、垂下壁４５ｗ、４５ｗ、４６ｗは、天板３０の下方において、天板３０を挟んで対向する使用者の下肢空間を仕切り、天板３０を挟んで対向する使用者の下肢の少なくとも一部を隠す幕板として機能させることができる。さらに、このような上部連結部材４０Ｂは、上下方向の力に対する強度が高まり、天板３０の補強効果を高めることができる。
【００３２】
（第三変形例）
図５は、上記テーブルの第三変形例を示す斜視図である。
この図５に示すように、上部連結部材４０Ｃの端部ビーム（第一脚連結部）４７や、下部連結部材５０Ｃの端部プレート（第一脚連結部）５７は、平面視形状を、第一の方向Ｘに沿って延びる基部４７ａ、５７ａと、基部４７ａ、５７ａの両端からそれぞれ脚２０に向かって斜めに延びる延出部４７ｂ、５７ｂと、を備える構成としてもよい。
【００３３】
（第四変形例）
図６は、上記テーブルの第四変形例を示す斜視図である。
この図６に示すように、上部連結部材４０Ｄ、下部連結部材５０Ｄは、天板３０の中心部から、それぞれの脚２０に向かって放射状に延びる複数本（図６の例では例えば４本）の延出部４８、５８を備える構成とすることもできる。
【００３４】
さらには、各脚２０は、第一の方向Ｘおよび第二の方向Ｙに対して傾斜して配置する構成に限らず、その長手方向が、第一の方向Ｘまたは第二の方向Ｙに沿って延びるように配置してもよい。
加えて、各脚２０は、平面視略長方形状に限らず、円形状、多角形状等、他の平面視形状であってもよい。
【００３５】
また、複数の脚２０の上端部２０ｂ、下端部２０ｔ同士を、上部連結部材４０、４０Ａ〜４０Ｄ、下部連結部材５０、５０Ｃ、５０Ｄにより連結するようにしたが、脚２０の上部同士および下部同士を連結するのであれば、上部連結部材４０、４０Ａ〜４０Ｄ、下部連結部材５０、５０Ｃ、５０Ｄの設置高さは適宜変更することができる。
【００３６】
さらに、上記実施形態で示したテーブル１０を構成する脚２０、天板３０、上部連結部材４０、下部連結部材５０等の部材の材質については、何ら問うものではなく、木系材料、金属系材料、樹脂系材料、あるいはこれらを組み合わせて形成した構成としてもよい。
加えて、テーブル１０に限らず、カウンター等、他の天板付家具においても、本発明は同様に適用することができる。
これ以外にも、本発明の主旨を逸脱しない限り、上記実施の形態で挙げた構成を取捨選択したり、他の構成に適宜変更したりすることが可能である。
【符号の説明】
【００３７】
１０  テーブル（天板付家具）
２０  脚
２０ｂ  下端部（下部）
２０ｔ  上端部（上部）
３０  天板
３０ｆ  上面
４０、４０Ａ〜４０Ｄ  上部連結部材
４１  端部連結部（第一脚連結部）
４４  第二ビーム（第二脚連結部）
４５、４７  端部ビーム（第一脚連結部）
４５ｗ  垂下壁
４６、５２  連結ビーム（第二脚連結部）
５０、５０Ｃ、５０Ｄ  下部連結部材
５１、５７  端部プレート（第一脚連結部）
１００Ａ、１００Ｂ  凹となる部分（凹部）
Ｆ  床面
Ｘ  第一の方向
Ｙ  第二の方向
【図１】
0006641612.tif 000002
【図２】
0006641612.tif 000003
【図３】
0006641612.tif 000004
【図４】
0006641612.tif 000005
【図５】
0006641612.tif 000006
【図６】
0006641612.tif 000007